(57)【要約】【課題】インクによる外部への汚染を低減できるインク補給容器を提供する。【解決手段】インク噴射ヘッドに連通するインクタンクに、インクを補給可能なインク補給容器３１であって、インクを収容可能なインク容器本体３７と、インク容器本体３７に備えられ、インク出口４６が設けられたスパウト３８と、スパウト３８に装着される第１蓋部材３９Ａと、第１蓋部材３９Ａに備えられ、第１蓋部材３９Ａが装着されたスパウト３８と第１蓋部材３９Ａとの間に存在するインクを吸収するインク吸収部５８と、を備える。【選択図】図４
2019025782.tif 000002
【特許請求の範囲】
【請求項１】
インク噴射ヘッドに連通するインクタンクに、インクを補給可能なインク補給容器であって、
前記インクを収容可能なインク容器本体と、
前記インク容器本体に備えられ、インク出口が設けられたスパウトと、
前記スパウトに装着される蓋部材と、
前記蓋部材に備えられ、前記蓋部材が装着された前記スパウトと前記蓋部材との間に存在するインクを吸収するインク吸収部と、
を備えることを特徴とするインク補給容器。
【請求項２】
前記蓋部材は、前記スパウトに装着された状態で前記インク出口の内側、外側、先端のうち少なくとも一つと接触する接触部を備え、
前記インク吸収部は、前記接触部の少なくとも一部に設けられることを特徴とする請求項１に記載のインク補給容器。
【請求項３】
前記接触部は、前記蓋部材が前記スパウトに装着された状態で前記スパウト側に突出する環状の凸部を有し、
前記インク吸収部は、前記凸部で囲まれた凹部内に配置されることを特徴とする請求項２に記載のインク補給容器。
【請求項４】
インク噴射ヘッドに連通するインクタンクに、インクを補給可能なインク補給容器であって、
前記インクを収容可能なインク容器本体と、
前記インク容器本体に備えられ、インク出口が設けられたスパウトと、
前記スパウトに装着される蓋部材と、
を備え、
前記蓋部材は、前記スパウトの前記インク出口に嵌合する嵌合部を備えることを特徴とするインク補給容器。
【請求項５】
少なくとも前記嵌合部は、弾性材で構成されることを特徴とする請求項４に記載のインク補給容器。
【請求項６】
インク噴射ヘッドに連通するインクタンクに、インクを補給可能なインク補給容器であって、
前記インクを収容可能なインク容器本体と、
前記インク容器本体に備えられ、インク出口が設けられたスパウトと、
前記スパウトに装着される蓋部材と、
を備え、
前記蓋部材は、前記インク出口を覆い、
前記スパウトは、前記インク出口を密封する封止体を備えることを特徴とするインク補給容器。
【請求項７】
前記封止体はフィルムであり、
前記蓋部材は、先が尖った尖端部を備えることを特徴とする請求項６に記載のインク補給容器。
【請求項８】
前記封止体はフィルムであり、
前記フィルムは、前記スパウトから剥離可能に取り付けられていることを特徴とする請求項６又は請求項７に記載のインク補給容器。
【請求項９】
前記封止体には、外部から前記インク出口に向かって途中までスリットが形成されていることを特徴とする請求項６〜請求項８のうち何れか一項に記載のインク補給容器。
【請求項１０】
前記封止体は、前記インクタンクが備えるインク導入針により破ることが可能であることを特徴とする請求項６〜請求項９のうち何れか一項に記載のインク補給容器。
【発明の詳細な説明】
【技術分野】
【０００１】
本発明は、補給用のインクを収容するインク補給容器に関する。
【背景技術】
【０００２】
インク補給容器の一例として、プリンターが備える液体タンク（インクタンク）に、液体（インク）を補給可能な液体収容ボトルがある（例えば特許文献１）。液体収容ボトルは、液体を収容するボトル部（インク容器本体）と、ボトル部に接続されたノズル部（スパウト）と、ノズル部に装着されるキャップと、を備える。
【先行技術文献】
【特許文献】
【０００３】
【特許文献１】特開２０１７−８１０８７号公報
【発明の概要】
【発明が解決しようとする課題】
【０００４】
ノズル部は、液体を注出するノズルを備える。キャップは、キャップ内に設けられた凸部をノズルに挿入してノズルを密封していた。そのため、キャップの装着が不完全な場合、ノズルとキャップとの間に液体が滲出し、滲出した液体が汚染を引き起こす虞があった。
【０００５】
本発明の目的は、インクによる外部への汚染を低減できるインク補給容器を提供することにある。
【課題を解決するための手段】
【０００６】
以下、上記課題を解決するための手段及びその作用効果について記載する。
上記課題を解決するインク補給容器は、インク噴射ヘッドに連通するインクタンクに、インクを補給可能なインク補給容器であって、前記インクを収容可能なインク容器本体と、前記インク容器本体に備えられ、インク出口が設けられたスパウトと、前記スパウトに装着される蓋部材と、前記蓋部材に備えられ、前記蓋部材が装着された前記スパウトと前記蓋部材との間に存在するインクを吸収するインク吸収部と、を備える。
【０００７】
この構成によれば、蓋部材が備えるインク吸収部がスパウトと蓋部材との間に存在するインクを吸収するため、スパウトに付着するインクを低減し、インクの滲出を抑制できる。これにより、インクによる外部への汚染を低減できる。
【０００８】
上記インク補給容器において、前記蓋部材は、前記スパウトに装着された状態で前記インク出口の内側、外側、先端のうち少なくとも一つと接触する接触部を備え、前記インク吸収部は、前記接触部の少なくとも一部に設けられることが好ましい。
【０００９】
この構成によれば、インク吸収部は、インク出口の内側、外側、先端のうち少なくとも一つと接触する接触部に設けられているため、インクが付着しやすいインク出口周辺のインクを吸収できる。したがって、インクによる外部への汚染を低減できる。
【００１０】
上記インク補給容器において、前記接触部は、前記蓋部材が前記スパウトに装着された状態で前記スパウト側に突出する環状の凸部を有し、前記インク吸収部は、前記凸部で囲まれた凹部内に配置されることが好ましい。この構成によれば、インク吸収部は、環状の凸部に囲まれた凹部内に配置されるため、インク吸収部を蓋部材に容易に配置できる。
【００１１】
上記課題を解決するインク補給容器は、インク噴射ヘッドに連通するインクタンクに、インクを補給可能なインク補給容器であって、前記インクを収容可能なインク容器本体と、前記インク容器本体に備えられ、インク出口が設けられたスパウトと、前記スパウトに装着される蓋部材と、を備え、前記蓋部材は、前記スパウトの前記インク出口に嵌合する嵌合部を備える。
【００１２】
この構成によれば、蓋部材は、インク出口に嵌合する嵌合部を備えるため、嵌合部をインク出口に嵌合させることで蓋部材をスパウトへ容易に装着できる。したがって、蓋部材によりインク出口を容易に密閉でき、インクによる外部への汚染を低減できる。
【００１３】
上記インク補給容器において、少なくとも前記嵌合部は、弾性材で構成されることが好ましい。
この構成によれば、嵌合部が弾性材で構成されているため、嵌合部を備える蓋部材をスパウトに容易に装着できる。したがって、蓋部材によりインク出口を容易に密閉でき、インクによる外部への汚染を低減できる。
【００１４】
上記課題を解決するインク補給容器は、インク噴射ヘッドに連通するインクタンクに、インクを補給可能なインク補給容器であって、前記インクを収容可能なインク容器本体と、前記インク容器本体に備えられ、インク出口が設けられたスパウトと、前記スパウトに装着される蓋部材と、を備え、前記蓋部材は、前記インク出口を覆い、前記スパウトは、前記インク出口を密封する封止体を備える。この構成によれば、インク出口は、蓋部材に覆われると共に封止体により密封される。そのため、インクの滲出を抑制でき、インクによる外部への汚染を低減できる。
【００１５】
上記インク補給容器において、前記封止体はフィルムであり、前記蓋部材は、先が尖った尖端部を備えることが好ましい。
この構成によれば、蓋部材は、尖端部を備える。そのため、インク出口を密封するフィルムは、尖端部を挿すことにより破ることができる。したがって、蓋部材を使ってフィルムを破り、インクタンクにインクを容易に補給できる。
【００１６】
上記インク補給容器において、前記封止体はフィルムであり、前記フィルムは、前記スパウトから剥離可能に取り付けられていることが好ましい。
この構成によれば、フィルムは、スパウトから剥離可能に取り付けられている。そのため、フィルムをスパウトから剥がしてインクタンクにインクを容易に補給できる。
【００１７】
上記インク補給容器において、前記封止体には、外部から前記インク出口に向かって途中までスリットが形成されていることが好ましい。
この構成によれば、封止体にスリットが形成されているため、例えば厚さが厚い封止体を用いる場合でも、封止体を破りやすくできる。
【００１８】
上記インク補給容器において、前記封止体は、前記インクタンクが備えるインク導入針により破ることが可能であることが好ましい。
この構成によれば、封止体をインク導入針により破ることができるため、インクタンクにインクを容易に補給できる。
【図面の簡単な説明】
【００１９】
【図１】プリンターの斜視図。
【図２】第１実施形態のインク補給容器がインクを補給するプリンターの斜視図。
【図３】一部の筐体の図示を省略したプリンターの正面図。
【図４】インク補給容器の断面図。
【図５】第１蓋部材の部分断面図。
【図６】図５における６−６線矢視断面図。
【図７】第２実施形態のインク補給容器の部分断面図。
【図８】第３実施形態のインク補給容器の部分断面図。
【図９】尖端部でフィルムを破る状態を示すインク補給容器の部分断面図。
【図１０】第１変更例のインク補給容器の部分断面図。
【図１１】第２変更例のインク補給容器の部分断面図。
【図１２】第３変更例のインク補給容器が備える第１蓋部材の部分断面図。
【図１３】第４変更例のインク補給容器が備えるフィルムの平面図。
【図１４】第５変更例のインク補給容器の部分断面図。
【図１５】第６変更例のインク補給容器の部分断面図。
【図１６】第７変更例のインク補給容器の部分断面図。
【図１７】第８変更例のインク補給容器の部分断面図。
【図１８】第９変更例のインク補給容器の部分断面図。
【図１９】第１０変更例のインク補給容器の部分断面図。
【図２０】第１１変更例のインク補給容器の部分分解正面図。
【発明を実施するための形態】
【００２０】
（第１実施形態）
以下、プリンターが備えるインクタンクにインクを補給するインク補給容器の第１実施形態について図面を参照して説明する。
【００２１】
図１に示すように、複合機１１は、プリンター１２と、プリンター１２上に配置されてプリンター１２の上側を覆う画像読取装置１３とを備え、全体として略直方体状をなしている。
【００２２】
図１では、複合機１１が水平面上に置かれているものとして鉛直方向をＺ軸で示し、鉛直方向に対して垂直な水平面に沿う方向をＸ軸及びＹ軸で示す。Ｘ軸、Ｙ軸、及びＺ軸は、互いに直交する。以下の説明では、Ｘ軸に沿う方向を幅方向、Ｙ軸に沿う方向を奥行方向ともいい、幅方向、奥行方向、及び鉛直方向は、相互に交差（好ましくは直交）する。また、奥行方向における一端側を前面側もしくは前側、一端側とは反対の他端側を背面側もしくは後側、前面側から見た幅方向の一端側を右側、他端側を左側ということもある。
【００２３】
プリンター１２の前面側には、複合機１１を操作するためのボタンなどの操作部１５と、プリンター１２や複合機１１の情報などを表示する表示部１６と、を有する操作パネル１７が設けられている。操作パネル１７の右側には、少なくとも１つ（本実施形態では５つ）のインクタンク１８を収容する収容体ユニット１９が設けられている。インクタンク１８は、プリンター１２の筐体２０内に設けられ、筐体２０には、各インクタンク１８と対応するように少なくとも１つ（本実施形態では５つ）の窓部２１が形成されている。
【００２４】
筐体２０内には、媒体（図示略）にインクを付着させて印刷する印刷部２３と、インクタンク１８に貯留されたインクを印刷部２３に供給するためのチューブなどを有する供給部２４と、が設けられている。印刷部２３は、ノズル（図示略）からインクを噴射するインク噴射ヘッド２５と、インク噴射ヘッド２５を保持して幅方向（走査方向）に往復移動可能なキャリッジ２６と、を備えている。すなわち、インクタンク１８は、供給部２４を介してインク噴射ヘッド２５に連通し、インク噴射ヘッド２５へ供給するインクを貯留する。
【００２５】
印刷部２３は、移動するインク噴射ヘッド２５から媒体に向かってインクを噴射し、媒体に文字や画像などを印刷する。本実施形態の供給部２４は、インクタンク１８と個別に対応して複数設けられているが、図１においては図の簡略化のために１つだけ図示している。
【００２６】
図２に示すように、画像読取装置１３は、背面側に設けられたヒンジなどの回転機構２８を介して取り付けられている。画像読取装置１３は、プリンター１２に対して開閉可能であり、図１に示す閉位置と、図２に示す開位置との間で回動する。画像読取装置１３を開位置に位置させると、収容体ユニット１９のカバー２９及びインクタンク１８に取り付けられた栓３０が開閉可能となる。インクタンク１８にインクを補給する場合には、図２に示すように、画像読取装置１３、カバー２９、及び栓３０を開位置に位置させ、補給用のインクを収容したインク補給容器３１をインクタンク１８に接続する。すなわち、インク補給容器３１は、インクタンク１８にインクを補給可能である。
【００２７】
図３に示すように、各インクタンク１８は、インクを貯留可能な貯留室３３を有し、貯留室３３には、それぞれ異なる種類（例えば、シアン、マゼンタ、イエロー、ブラックなどの色や、顔料や染料などの着色剤）のインクが貯留される。本実施形態では、貯留量が多いブラック用の第１インクタンク１８Ａが操作パネル１７側に１つ設けられ、第１インクタンク１８Ａよりも貯留量が少ないカラー用の第２インクタンク１８Ｂが４つ設けられている。
【００２８】
インクタンク１８は、貯留室３３にインクを導入可能なインク導入針３４を有する。インク導入針３４は、インクタンク１８を構成するタンクケース３５の上面３５ａから上方に向かって突出するように略円筒状に形成されている。インク導入針３４の内部の空間は、貯留室３３と連通し、貯留室３３にインクを導入可能な導入流路として機能する。栓３０は、インク導入針３４の先端に係合し、導入流路を密閉する。
【００２９】
次に、インク補給容器３１について説明する。
図４に示すように、インク補給容器３１は、インクを収容可能なインク容器本体３７と、インク容器本体３７に備えられるスパウト３８と、スパウト３８に装着される第１蓋部材３９Ａと、を備える。インク補給容器３１は、スパウト３８及び第１蓋部材３９Ａがインク容器本体３７における鉛直方向上端（先端）に位置する図４に示す保管姿勢で保管されることが好ましく、以下の説明における方向は、保管姿勢における方向をいうものとする。
【００３０】
インク容器本体３７は、インクを収容可能な収容室４１を形成する有底円筒状の収容部４２と、収容部４２よりも径が小さい円筒状の頸部４３と、を有する。頸部４３は、収容部４２の先端に形成され、頸部４３の外周面には第１雄ねじ４４が形成されている。
【００３１】
スパウト３８には、収容室４１内のインクの流出を可能とするインク出口４６が設けられている。スパウト３８は、例えばシリコン膜等の弾性部材により構成された弁４７を備える。弁４７には、その中心を交点として等角度間隔で交わる複数（例えば１２０度間隔で３つ）のスリット４８が形成されている。スリット４８は、弁４７を貫通して形成されていてもよいし、封止体７１を貫通せずに外部からインク出口４６に向かって途中まで形成されていてもよい。
【００３２】
スリット４８が弁４７を貫通している場合でも、弁４７は、外部から押されていない状態ではスリット４８が閉じ、インク出口４６を密封している。そのため、弁４７は、インク出口４６を密封する封止体の一例として機能する。
【００３３】
図４に示すように、スパウト３８は、インク容器本体３７に取り付けられた場合に頸部４３の外周側に位置する大径部４９と、インク容器本体３７から離れた位置でインク出口４６を形成する小径部５０と、を有する。大径部４９の内周面には、第１雄ねじ４４と螺合可能な第１雌ねじ５１が形成されている。スパウト３８は、第１雌ねじ５１を第１雄ねじ４４に螺合させることによりインク容器本体３７の先端に取り付けられる。大径部４９の外周面には、第２雄ねじ５２が形成されている。
【００３４】
第１蓋部材３９Ａは、円筒状の側壁５４と、側壁５４の先端に形成されたドーム状の天壁５５と、を有する。側壁５４の内周面には、図示しない第２雌ねじが形成されている。第１蓋部材３９Ａは、第２雌ねじを第２雄ねじ５２に螺合させることによりスパウト３８に取り付けられる。すなわち、第１蓋部材３９Ａは、回転しながら装着方向に移動し、スパウト３８に対して着脱される。装着方向とは、保管姿勢における鉛直方向であり、スパウト３８が延びる方向であって、インク出口４６が開口する方向である。第１蓋部材３９Ａがスパウト３８に取り付けられると、スパウト３８に形成されたインク出口４６は、第１蓋部材３９Ａにより覆われ外部から隠蔽される。
【００３５】
図４，図５に示すように、第１蓋部材３９Ａは、スパウト３８に装着された状態でインク出口４６の外側と接触する接触部５７と、インクを吸収するインク吸収部５８と、を備える。接触部５７は、第１蓋部材３９Ａがスパウト３８に装着された状態で天壁５５からスパウト３８側に突出して形成されている。接触部５７は、第１蓋部材３９Ａがスパウト３８に装着された状態でスパウト３８側（下方）に突出する環状の凸部５９と、凸部５９で囲まれた凹部６０と、凸部５９内に位置してスパウト３８側に突出する突起６１と、を有する。
【００３６】
接触部５７は、第１蓋部材３９Ａがスパウト３８に装着された状態で、凸部５９の内周面が、スパウト３８の外周面と接触する。突起６１は、略円環状の凸部５９の中心に形成されている。突起６１は、第１蓋部材３９Ａがスパウト３８に装着された場合に、スパウト３８内に位置し、スパウト３８とは隙間を有するように形成されている。
【００３７】
図５，図６に示すように、凹部６０は、凸部５９と突起６１との間に位置し、上方に窪むように円環状に形成されている。インク吸収部５８は、例えば弾性変形可能なスポンジなどの多孔質体である。インク吸収部５８は、凸部５９で囲まれた凹部６０内に配置され、接触部５７の少なくとも一部に設けられている。インク吸収部５８は、接触部５７がインク出口４６の外側と接触した場合に、第１蓋部材３９Ａとスパウト３８に挟まれた状態でインク出口４６の先端と接触する。インク吸収部５８は、第１蓋部材３９Ａをスパウト３８に装着した状態で、インク出口４６及び弁４７よりも外側に位置することが好ましい。
【００３８】
次に、インク補給容器３１の作用について説明する。
図２に示すように、インク補給容器３１に収容されたインクをインクタンク１８に補給する場合には、第１蓋部材３９Ａを外したインク補給容器３１を、スパウト３８がインク容器本体３７における鉛直方向下端に位置する補給姿勢（図２参照）とする。インク補給容器３１には弁４７が設けられているため、姿勢が変更されてもインク出口４６からのインクの流出は抑制されている。
【００３９】
インク出口４６にインク導入針３４を挿しこむと、インク導入針３４は弁４７を押し、スリット４８をインク出口４６の外側から内側に押し広げることで弁４７を開弁する。スリット４８が弁４７を貫通していない場合でも、弁４７は、インク導入針３４に押されることにより破れて開弁する。したがって、弁４７は、インクタンク１８が備えるインク導入針３４により破ることが可能である。インク導入針３４とインク出口４６とが連通すると、インク補給容器３１に収容されたインクがインクタンク１８に補給される。
【００４０】
インク補給容器３１をインク導入針３４から抜くと、スリット４８が閉じ、弁４７が閉弁する。すなわち、弁４７は、スリット４８がインク出口４６の外側から内側に押されることで開弁し、インク出口４６がインク導入針３４から抜かれることで閉弁する常閉弁としても機能する。インクタンク１８にインクを補給すると、インク出口４６及びインク出口４６の周辺には、インクが付着していることがある。
【００４１】
図４に示すように、第１蓋部材３９Ａがスパウト３８に装着されると、インク吸収部５８は、インク出口４６の先端と接触する。そのため、スパウト３８に付着したインクは、接触部５７よりもインク出口４６側に留まり、インク吸収部５８に吸収される。すなわち、インク吸収部５８は、第１蓋部材３９Ａが装着されたスパウト３８と第１蓋部材３９Ａとの間に存在するインクを吸収する。
【００４２】
上記第１実施形態によれば、以下のような効果を得ることができる。
（１−１）第１蓋部材３９Ａが備えるインク吸収部５８がスパウト３８と第１蓋部材３９Ａとの間に存在するインクを吸収するため、スパウト３８に付着するインクを低減し、インクの滲出を抑制できる。これにより、インクによる外部への汚染を低減できる。
【００４３】
（１−２）インク吸収部５８は、インク出口４６の外側と接触する接触部５７に設けられているため、インクが付着しやすいインク出口４６周辺のインクを吸収できる。したがって、インクによる外部への汚染を低減できる。
【００４４】
（１−３）インク吸収部５８は、環状の凸部５９に囲まれた凹部６０内に配置されるため、インク吸収部５８を第１蓋部材３９Ａに容易に配置できる。
（１−４）封止体７１にスリット４８が形成されているため、例えば厚さが厚い封止体７１を用いる場合でも、封止体７１を破りやすくできる。
【００４５】
（１−５）封止体７１をインク導入針３４により破ることができるため、インクタンク１８にインクを容易に補給できる。
（１−６）インク吸収部５８は、環状の凸部５９に囲まれた凹部６０内に配置されているため、インク吸収部５８が吸収したインクが環状の凸部５９の外へ漏出する虞を低減できる。
【００４６】
（１−７）例えば、特許文献１のようにキャップ内に設けられた凸部をノズルに挿入してノズルを密封すると、凸部やノズル部に液体が付着することがある。このように液体が付着すると、付着した液体により汚染が引き起こされる虞がある。また、未使用状態であってもユーザーに使用済みだと判断されてしまう虞がある。さらに、付着した液体が固化すると、キャップをノズル部に装着する場合に、キャップとノズル部の密閉性が低下し、液体が漏出する虞がある。その点、第１蓋部材３９Ａは、接触部５７とインク吸収部５８とを備えるため、スパウト３８に付着するインクを低減できる。したがって、インクによる汚染を低減できる。また、インク補給容器３１の未使用状態を認識しやすくできる。さらに、インクの漏出を抑制できる。
【００４７】
（第２実施形態）
次に、インク補給容器の第２実施形態について図を参照しながら説明する。なお、この第２実施形態は、蓋部材の構成が第１実施形態の場合とは異なっている。そして、その他の点では第１実施形態とほぼ同じであるため、同一の構成については同一符号を付すことによって重複した説明は省略する。
【００４８】
図７に示すように、第２蓋部材３９Ｂは、スパウト３８のインク出口４６に嵌合する嵌合部６３を備える。嵌合部６３は、第２蓋部材３９Ｂがスパウト３８に装着された状態でインク出口４６の内側と接触し、接触部の一例としても機能している。第２蓋部材３９Ｂは、さらにインク出口４６の先端及び外側のうち少なくとも一方と接触するように構成してもよい。
【００４９】
第２蓋部材３９Ｂは、全体をシリコンやゴムなどの弾性材で形成してもよいし、第２蓋部材３９Ｂの一部を弾性材で形成し、嵌合部６３としてもよい。すなわち、第２蓋部材３９Ｂにおいて少なくとも嵌合部６３は、弾性材で構成されている。
【００５０】
次に、インク補給容器３１の作用について説明する。
第２蓋部材３９Ｂをスパウト３８から外す場合には、第２蓋部材３９Ｂをスパウト３８から引き抜く。第２蓋部材３９Ｂをスパウト３８に装着する場合には、嵌合部６３がインク出口４６の内側と接触するように位置合わせする。この状態で第２蓋部材３９Ｂをスパウト３８に押し付け、第２蓋部材３９Ｂを装着方向に移動させて嵌合部６３とインク出口４６とを嵌合する。
【００５１】
上記第２実施形態によれば、上記第１実施形態の効果に加えて以下のような効果を得ることができる。
（２−１）第２蓋部材３９Ｂは、インク出口４６に嵌合する嵌合部６３を備えるため、嵌合部６３をインク出口４６に嵌合させることで第２蓋部材３９Ｂをスパウト３８へ容易に装着できる。したがって、第２蓋部材３９Ｂによりインク出口４６を容易に密閉でき、インクによる外部への汚染を低減できる。
【００５２】
（２−２）嵌合部６３が弾性材で構成されているため、嵌合部６３を備える第２蓋部材３９Ｂをスパウト３８に容易に装着できる。したがって、第２蓋部材３９Ｂによりインク出口４６を容易に密閉でき、インクによる外部への汚染を低減できる。
【００５３】
（２−３）例えば、特許文献１のようにキャップとノズル部にねじを設けて螺合させる場合には、キャップの装着が不完全となることがある。すなわち、ねじによる螺合が途中までしかされない場合や、キャップが傾斜してノズル部に螺合された場合には、キャップがノズル部に正しく装着されず、キャップとノズル部との間に滲出したインクにより汚染を引き起こす可能性があった。その点、第２蓋部材３９Ｂは、インク出口４６に嵌合する嵌合部６３を備えるため、第２蓋部材３９Ｂによりインク出口４６を容易に密閉しでき、インクによる外部への汚染を低減できる。
【００５４】
（第３実施形態）
次に、インク補給容器の第３実施形態について図を参照しながら説明する。なお、この第３実施形態は、蓋部材とスパウトの構成が第１実施形態の場合とは異なっている。そして、その他の点では第１実施形態とほぼ同じであるため、同一の構成については同一符号を付すことによって重複した説明は省略する。
【００５５】
図８に示すように、第３蓋部材３９Ｃは、インク出口４６を覆う。スパウト３８は、インク出口４６を密封する封止体の一例であるフィルム６５を備える。フィルム６５は、インク出口４６の先端に貼り付けられている。第３蓋部材３９Ｃは、フィルム６５をインク出口４６とは反対側から覆う。第３蓋部材３９Ｃは、スパウト３８に装着された状態で天壁５５からスパウト３８とは反対側（上側）に突出し、先が尖った尖端部６６を備える。尖端部６６は、インク出口４６よりも径が小さく、フィルム６５を破ることが可能である。
【００５６】
次に、インク補給容器３１の作用について説明する。
図９に示すように、インク補給容器３１のインクをインクタンク１８に補給する場合には、第３蓋部材３９Ｃをスパウト３８から外し、インク出口４６を覆うフィルム６５に尖端部６６を挿す。これにより、フィルム６５が破れてインク出口４６と外部とが連通し、インクの補給が可能となる。
【００５７】
上記第３実施形態によれば、上記第１実施形態及び第２実施形態の効果に加えて以下のような効果を得ることができる。
（３−１）インク出口４６は、第３蓋部材３９Ｃに覆われると共にフィルム６５により密封される。そのため、インクの滲出を抑制でき、インクによる外部への汚染を低減できる。
【００５８】
（３−２）第３蓋部材３９Ｃは、尖端部６６を備える。そのため、インク出口４６を密封するフィルム６５は、尖端部６６を挿すことにより破ることができる。したがって、第３蓋部材３９Ｃを使ってフィルム６５を破り、インクタンク１８にインクを容易に補給できる。
【００５９】
上記実施形態は以下に示す変更例のように変更してもよい。上記実施形態と下記変更例とは、任意に組み合わせてもよい。下記変更例に含まれる構成同士を任意に組み合わせてもよい。
【００６０】
・図１０に示すように、インク吸収部５８は、凸部５９の先端に設けてもよい（第１変更例）。インク吸収部５８は、スパウト３８と接触部５７とが接触する部分に、インク出口４６とは反対側から接するように設けてもよい。
【００６１】
・図１１に示すように、インク吸収部５８は、スパウト３８の先端と突起６１との間に設けてもよい（第２変更例）。
・図１２に示すように、第１蓋部材３９Ａが備える接触部５７に、インク吸収部の一例である溝６８を形成してもよい（第３変更例）。すなわち、インク吸収部は、インクを保持できる構成であればよく、第１蓋部材３９Ａとスパウト３８との間のインクを毛細管作用で溝６８に引き込むようにしてもよい。インク吸収部は、インクを保持可能な微細な凹凸としてもよい。
【００６２】
・図１３に示すように、フィルム６５には摘み６９を形成してもよい（第４変更例）。フィルム６５は、スパウト３８から剥離可能に取り付けられていてもよい。フィルム６５は、スパウト３８から剥離可能に取り付けられているため、フィルム６５をスパウト３８から剥がしてインクタンク１８にインクを容易に補給できる。
【００６３】
・図１４に示すように、第２蓋部材３９Ｂには、摘み６９を設けてもよい（第５変更例）。
・図１５に示すように、第２蓋部材３９Ｂは、例えばコルク栓のように円錐台形状をなし、インク出口４６に嵌合してインク出口４６を密封してもよい（第６変更例）。
【００６４】
・図１６に示すように、インク補給容器３１は、インク出口４６を密封する封止体７１と、封止体７１よりも先端側に設けられた弾性体７２と、を備えてもよい（第７変更例）。弾性体７２は、中央に貫通孔７３が形成されて円環状をなす。貫通孔７３は、インク導入針３４が挿入された場合にインク導入針３４を囲み、インク導入針３４を密封可能な大きさに形成されている。貫通孔７３の径は、先端側ほど大きく、封止体７１側ほど小さいことが好ましい。封止体７１には、弾性体７２側の第１面７４の中央に半球状の第１窪み７５を形成すると共に、弾性体７２とは反対側の第２面７６の中央に円柱状の第２窪み７７を形成してもよい。すなわち、封止体７１は、第１窪み７５と第２窪み７７とが形成された中央部分の厚みを薄く、端部分の厚みを厚くしてもよい。これによりインク導入針３４の先端を第１窪み７５に位置合わせした状態でインク補給容器３１にインク導入針３４を挿すと、インク導入針３４により封止体７１の厚みの薄い部分を容易に破ることができる。
【００６５】
・図１７に示すように、封止体７１には、第１面７４に第１窪み７５及び第３窪み７８を形成し、第２面７６に第２窪み７７を形成してもよい（第８変更例）。すなわち、第７変更例における弾性体７２と封止体７１は、一体で形成してもよい。第３窪み７８は、第１面７４から離れるにつれて径が小さくなるように円錐台状に形成され、第２窪み７７は、円柱状に形成されている。第１窪み７５は、第３窪み７８の底面に形成されている。
【００６６】
・図１８に示すように、フィルム６５は、貫通孔７３が形成された弾性体７２の外側からインク出口４６を密封してもよい（第９変更例）。
・図１９に示すように、インク導入針３４は、先端の面を水平面に対して傾斜させた面とし、先端を尖らせてフィルム６５を破りやすくしてもよい（第１０変更例）。
【００６７】
・図２０に示すように、インク容器本体３７の開口をフィルム６５で密封してもよい（第１１変更例）。スパウト３８には、先が尖った尖端部６６を形成してもよい。すなわち、フィルム６５は、スパウト３８に設けた尖端部６６により破ることが可能としてもよい。プリンター１２もしくはインクタンク１８には、スパウト３８が備える尖端部６６と係合可能な係合部（図示略）を設けてもよい。係合部は、インクタンク１８にインクを補給する場合に、インク補給容器３１とインクタンク１８との組み合わせが正しい場合に尖端部６６と係合可能とし、組み合わせが異なる場合には係合できないように形成してもよい。
【００６８】
・インク容器本体３７は、インクを収容可能な収容室４１を構成するものであれば、任意の構成としてもよい。例えば、インク容器本体３７は、可撓性を有する袋としてもよく、ボトル、タンク、瓶、缶などとしてもよい。
【００６９】
・インク容器本体３７とスパウト３８は、一体で形成してもよい。
・第１蓋部材３９Ａ及び第３蓋部材３９Ｃは、インク容器本体３７に装着してもよい。
・インク補給容器３１は、第１蓋部材３９Ａ及び第３蓋部材３９Ｃを備えない構成としてもよい。
【００７０】
・インク補給容器３１は、収容するインクと同じ色のインク吸収部５８を備えてもよい。インク吸収部５８は、セルロースなどの繊維やポリマーなどとしてもよい。
・インク補給容器３１は、接触部５７とは異なる位置に設けられたインク吸収部５８を備えてもよい。
【００７１】
・インク吸収部５８は、インクの流れを誘導する例えば溝などの誘導路を備えてもよい。誘導路は、スパウト３８及び第１蓋部材３９Ａが接触する部分と、インク吸収部５８と、を連通するように設けることが好ましい。
【００７２】
・第１蓋部材３９Ａをスパウト３８に装着した場合に、インク吸収部５８は、スパウト３８から離間するように設けてもよい。
・接触部５７は、環状の凸部５９を備えない構成としてもよい。凸部５９は、環状でなくてもよい。
【００７３】
・凸部５９は、円環状に限らず、矩形環状や楕円環状など、任意の形状としてもよい。
・突起６１は、第１蓋部材３９Ａがスパウト３８に装着された場合に、インク出口４６と接触する大きさに形成してもよい。すなわち、第１蓋部材３９Ａをスパウト３８に装着した状態で、接触部５７は、インク出口４６の内側と接触してもよい。
【００７４】
・接触部５７は、インク出口４６の内側、外側、先端のうち少なくとも１つと接触する構成としてもよい。例えば、接触部５７は、インク出口４６の先端にのみ接触する構成としてもよい。
【００７５】
・インク補給容器３１は、弁４７を備えない構成としてもよい。
・インク補給容器３１は、接触部５７を備えない構成としてもよい。
・インクは、媒体に付着することで、この媒体に印刷することができるものであれば任意に選択することができる。例えば、インクは、顔料や金属粒子などの固形物からなる機能材料の粒子が溶媒に溶解、分散又は混合されたものなども含み、水性インク、油性インク、ジェルインク、ホットメルトインク等の各種組成物を包含するものとする。
【符号の説明】
【００７６】
１１…複合機、１２…プリンター、１３…画像読取装置、１５…操作部、１６…表示部、１７…操作パネル、１８…インクタンク、１８Ａ…第１インクタンク、１８Ｂ…第２インクタンク、１９…収容体ユニット、２０…筐体、２１…窓部、２３…印刷部、２４…供給部、２５…インク噴射ヘッド、２６…キャリッジ、２８…回転機構、２９…カバー、３０…栓、３１…インク補給容器、３３…貯留室、３４…インク導入針、３５…タンクケース、３５ａ…上面、３７…インク容器本体、３８…スパウト、３９Ａ…第１蓋部材、３９Ｂ…第２蓋部材、３９Ｃ…第３蓋部材、４１…収容室、４２…収容部、４３…頸部、４４…第１雄ねじ、４６…インク出口、４７…弁（封止体の一例）、４８…スリット、４９…大径部、５０…小径部、５１…第１雌ねじ、５２…第２雄ねじ、５４…側壁、５５…天壁、５７…接触部、５８…インク吸収部、５９…凸部、６０…凹部、６１…突起、６３…嵌合部、６５…フィルム（封止体の一例）、６６…尖端部、６８…溝（インク吸収部の一例）、６９…摘み、７１…封止体、７２…弾性体、７３…貫通孔、７４…第１面、７５…第１窪み、７６…第２面、７７…第２窪み、７８…第３窪み。
【図１】
2019025782.tif 000003
【図２】
2019025782.tif 000004
【図３】
2019025782.tif 000005
【図４】
2019025782.tif 000006
【図５】
2019025782.tif 000007
【図６】
2019025782.tif 000008
【図７】
2019025782.tif 000009
【図８】
2019025782.tif 000010
【図９】
2019025782.tif 000011
【図１０】
2019025782.tif 000012
【図１１】
2019025782.tif 000013
【図１２】
2019025782.tif 000014
【図１３】
2019025782.tif 000015
【図１４】
2019025782.tif 000016
【図１５】
2019025782.tif 000017
【図１６】
2019025782.tif 000018
【図１７】
2019025782.tif 000019
【図１８】
2019025782.tif 000020
【図１９】
2019025782.tif 000021
【図２０】
2019025782.tif 000022